(57)【要約】【課題】光源装置の面内輝度の均一性を保ちつつ、複数の光源の光を効率的に利用すること。【解決手段】表示パネルの背面側に配置されるバックライト装置は、平面上に配置された複数のＬＥＤ光源１０１ａと、拡散空間を形成するＢＬケースと、反射拡散シート１０２を備える。反射拡散シート１０２は、複数のＬＥＤ光源１０１ａに対応した貫通穴部１０２ａを有する底面部１０２ｂと、該底面部から延設された側壁部１０２ｃによってＬＥＤ光源１０１ａの光を反射拡散させる光学部材である。レンズ１０３は、複数のＬＥＤ光源１０１ａによる光の一部を反射拡散シート１０２の側壁部１０２ｃに向けて拡散照射させる光屈折手段である。発光領域は、ＬＥＤ光源１０１ａに対してレンズ１０３を配置した第１領域と、レンズ１０３を配置していない第２領域からなる。第２領域は、第１領域と反射拡散シート１０２の側壁部１０２ｃとの間に位置する。【選択図】図１
2013157258.tif 000002
【特許請求の範囲】
【請求項１】
面光源部を備えた光源装置であって、
前記面光源部は、
平面上に配置された複数の光源と、
前記複数の光源に対応した貫通穴部を有する底面部と、該底面部から延設された側壁部によって前記光源の光を反射拡散させる反射拡散手段と、
前記複数の光源による光の一部を前記反射拡散手段の側壁部に向けて拡散照射させる光屈折手段を備え、
前記複数の光源のうち前記光屈折手段を配置した第１領域、および該第１領域と前記反射拡散手段の側壁部との間に位置する光源に前記光屈折手段を配置していない第２領域を有することを特徴とする光源装置。
【請求項２】
底面部および側壁部を有するケース部材を備え、
前記反射拡散手段は、前記ケース部材の底面部と側壁部の内側に沿って配置された反射拡散シートを有することを特徴とする請求項１に記載の光源装置。
【請求項３】
前記光屈折手段は複数のレンズで構成され、前記第２領域から離れて位置するレンズは、前記第２領域に近いレンズに比べて屈折率が高いことを特徴とする請求項１または２に記載の光源装置。
【請求項４】
前記レンズは、前記光源からの光が出射する面の中央に凹部を有することを特徴とする請求項３に記載の光源装置。
【請求項５】
前記複数の光源または光屈折手段を、格子状または千鳥格子状に配列したことを特徴とする請求項１ないし４のいずれか１項に記載の光源装置。
【請求項６】
発光素子を封入した封入部と、該封入部と一体に形成したレンズ部を有することを特徴とする請求項５に記載の光源装置。
【請求項７】
請求項１から６のいずれか１項に記載の光源装置と、
前記光源装置の面光源部により背面から照射される表示パネルと、を備えたことを特徴とする表示装置。
【発明の詳細な説明】
【技術分野】
【０００１】
本発明は、光源装置の面内輝度の均一性向上に関するものである。
【背景技術】
【０００２】
面光源装置を備えた表示装置の一例として、液晶表示装置は表示パネルの背面に配置されて光を照射するバックライト（以下、ＢＬとも記すf装置を備える。ＴＶ（テレビジョン）装置や業務用表示装置に使用する直下型ＢＬ装置の光源は、冷陰極管（ＣＣＦＬ）に代わって発光ダイオード（ＬＥＤ）が主流となりつつある。これは、装置の長寿命化や廃棄リサイクル処理の容易化のためである。光源の光をさらに効率的に利用するため、パネルメーカーは液晶配向技術やカラーフィルタ構造の改善などにより、光源からの光のうち表示パネルを透過する光の割合を示す光透過率の向上に取り組んでいる。近年の液晶ＴＶ装置に用いる液晶パネルの光透過率は、その駆動方式によっても異なるが概ね５−１０％程度であり、水平画素数４，０００×垂直画素数２，０００以上の高精細な液晶パネルでは約２−４％程度に過ぎない。
【０００３】
図７のＢＬ装置７００において、複数のＬＥＤ光源７０２ａが実装された光源基板７０２はＢＬケース７０１の底面部に配置され、ＬＥＤ光源７０２ａは反射拡散シート７０３の形成した貫通穴部７０３ａから拡散板７０４に向けて光を照射する。光利用効率を高めるため、表示パネルとＢＬ装置との間には、以下の光学部材が光源側から順に配置される。
・光源からの光を拡散させる拡散板７０４と拡散シート７０５。
・表示面の正面から見た輝度値やコントラスト値を向上させるプリズムシート７０６。
・光源の光がパネル下面の偏光板に吸収されないようにして再利用を図り、光利用効率を高める偏光反射シート７０７。
【０００４】
これらの光学シート群と、略箱形状のＢＬケース７０１内に配置されるＢＬ光源との空間距離は、表示面内の輝度均一化のため、点光源であるＬＥＤ光源同士の実装間隔とほぼ同等か、またはそれ以上の距離を有する。ＬＥＤ光源の光を前記空間距離にて充分に反射拡散させるための拡散シート７０５はＢＬ装置のケース内壁に沿って設置される。直下型ＢＬ装置の厚みは、表示装置本体の薄型化に直接影響するため、ＬＥＤ光源数を増やして光源同士の実装間隔を狭めれば、空間距離を小さくできる。しかし、コスト削減の観点からは、ＬＥＤ光源は少ない方が有利である。
特許文献１では、各種光学シートを用いつつＬＥＤ光源の頂部と対向してその光の一部を水平方向へ拡散させるレンズを実装し、ＢＬ装置の薄型化とＬＥＤ光源数の削減を可能にする技術が開示されている。
【先行技術文献】
【特許文献】
【０００５】
【特許文献１】特許第４６２１７９９号公報
【発明の概要】
【発明が解決しようとする課題】
【０００６】
従来のＢＬ装置ではＬＥＤ光源の光が充分に利用されていないという課題があった。例えば、プリズムシートを用いることにより表示エリアの正面から見た輝度を上昇させることは可能であるが、プリズムシートを用いない場合に比べて表示エリア周縁部の輝度値が中央部に比べて低下することがあった。
【０００７】
図６は、従来のＢＬ装置の面内輝度分布と相対輝度値を例示する。図６（Ａ）は、光源基板に実装されたＬＥＤ光源からの光を、拡散板および拡散シートを通して測定した場合の面内輝度分布を正面から示す。図６（Ｂ）は、図６（Ａ）の破断線Ａ−Ａにおける相対輝度を例示し、横軸に位置をとり、縦軸に相対輝度を示す。また、図６（Ｃ）は、拡散板および拡散シートに加えて、プリズムシートを通して測定した面内輝度分布を正面から示す。図６（Ｄ）は、図６（Ｃ）の破断線Ｃ−Ｃにおける相対輝度を例示し、横軸に位置をとり、縦軸に相対輝度を示す。図６（Ｂ）と図６（Ｄ）との対比から分かるように、光源からの光がプリズムシートを通る前の状態を示す図６（Ｂ）では、表示エリア周縁部の相対輝度が中央部に比べて低下するものの、その値は約５％程度の低下にとどまっている。他方、光源からの光がプリズムシートを透過した後の状態を示す図６（Ｄ）では、表示エリア周縁部の相対輝度が中央部に比べて約１５％程度まで低下している。
本発明の目的は、光源装置の面内輝度の均一性を保ちつつ、複数の光源の光を効率的に利用することである。
【課題を解決するための手段】
【０００８】
上記課題を解決するために、本発明に係る装置は、面光源部を備えた光源装置であって、前記面光源部は、平面上に配置された複数の光源と、前記複数の光源に対応した貫通穴部を有する底面部と、該底面部から延設された側壁部によって前記光源の光を反射拡散させる反射拡散手段と、前記複数の光源による光の一部を前記反射拡散手段の側壁部に向けて拡散照射させる光屈折手段を備え、前記複数の光源のうち前記光屈折手段を配置した第１領域、および該第１領域と前記反射拡散手段の側壁部との間に位置する光源に前記光屈折手段を配置していない第２領域を有する。
【発明の効果】
【０００９】
本発明によれば、光源装置の面内輝度の均一性を保ちつつ、複数の光源の光を効率的に利用することができる。
【図面の簡単な説明】
【００１０】
【図１】本発明の第１実施形態に係る表示装置のＢＬ装置の構成例を示す図である。
【図２】光源単体の場合と光源にレンズを配置した場合の相対輝度分布を例示する図である。
【図３】光源にレンズを配置したＢＬ装置の輝度分布と相対輝度値を例示する図である。
【図４】本発明の第２実施形態に係る表示装置のＢＬ装置の構成例を示す図である。
【図５】各種光学シートを用いた場合のＢＬ装置内部での光拡散を説明する模式図である。
【図６】従来例のＢＬ装置の輝度分布と相対輝度値を例示した図である。
【図７】従来例の構成を示す分解斜視図である。
【発明を実施するための形態】
【００１１】
以下、添付図面を参照して本発明の各実施形態を説明する。本発明に係る光源装置は、面光源部を有する照明装置や表示装置などの各種装置に幅広く適用可能である。例えば、表示装置の場合、表示パネルおよび光源装置を含む構成と、光源装置の発光制御により表示を行う構成がある。
本発明の各実施形態に示す表示装置は、表示パネルと、該表示パネルを背面から照射する面光源装置であるＢＬ装置を備える。なお、以下では表示パネルとして液晶表示装置を例示し、ＢＬ装置の光源として発光素子ＬＥＤを例示するが、カラーフィルタ方式の有機ＥＬ（有機ＥＬ発光素子とカラーフィルタを用いた方式）等、各種の表示パネルや光源素子を使用可能である。
【００１２】
［第１実施形態］
図１−３を用いて本発明の第１実施形態を説明する。
図１（Ａ）は本実施形態に係る直下型ＢＬ装置の平面図であり、ＬＥＤ光源１０１ａの配置を示すために、図１（Ｂ）の拡散板１０４を取り除いた状態を示す。また、図１（Ａ）の破線Ｂは、液晶表示装置の画像表示エリア端を示している。図１（Ｂ）は、図１（Ａ）の破断線Ａ―Ａにおける断面図である。図１（Ｃ）はＬＥＤ光源１０１ａに対して光屈折手段として配置されるレンズ１０３の詳細図である。左側に底面図、中央に断面図、右側に正面図を示しており、Ｈはレンズ１０３の厚み、Ｄは外径を表す。なお、表示パネルや、ＢＬ装置のケース部材（ＢＬケース）、反射拡散シート以外の光学部材については図７に示した従来の構成と同様であるため、それらの詳細な説明を省略する。
【００１３】
光源基板１０１は、図示しない箱形状のＢＬケースの底面部に配置され、複数のＬＥＤ光源１０１ａが格子状に実装されており、ＬＥＤ光源１０１ａの実装面側に反射拡散シート１０２が配置されている。反射拡散シート１０２は拡散板１０４とともにＬＥＤ光源１０１ａの光を反射して拡散させる反射拡散手段を構成する。反射拡散シート１０２には、各々のＬＥＤ光源１０１ａが挿入される貫通穴部１０２ａが形成されている。貫通穴部１０２ａを通してＬＥＤ光源１０１ａは拡散空間、つまりＢＬケースの内面に配置された反射拡散シート１０２と拡散板１０４によって形成される空間内に位置している。ＬＥＤ光源１０１ａは、図１（Ａ）に示すとおり、光源基板１０１の実装面上にて縦方向に８行、横方向に１２列の格子状に配列されている。またレンズ１０３は、８行１２列の各ＬＥＤ光源１０１ａに対応する箇所のうち、画像表示エリアの周縁部と四隅部を除く領域に配置されている。つまり、複数のＬＥＤ光源１０１ａのうち、第１領域にはレンズ１０３が配置されており、第１領域と反射拡散シート１０２の側壁部１０２ｃとの間に位置する第２領域のＬＥＤ光源１０１ａにはレンズ１０３が配置されていない。図１（Ａ）の例では、画像表示エリアの周縁部に位置する３６個と、その内側の四隅にそれぞれ位置する４個を除いた、５６個のＬＥＤ光源１０１ａにレンズ１０３がそれぞれ配置されている。
【００１４】
図１（Ｂ）にレンズ１０３の詳細配置を示す。レンズ１０３はＬＥＤ光源１０１ａに対して配置されており、ＬＥＤ光源１０１ａの頂部と対向し、且つレンズ１０３の底面に形成した凹部にＬＥＤ光源１０１ａが収納される。レンズ１０３は熱可塑性材料を用いて成型された、アクリル樹脂（ＰＭＭＡ）などの光透過性部材からなる。これは高い光透過率に加えて屈折率も１．４９と高く、レンズ１０３の断面形状を工夫することによってＬＥＤ光源１０１ａの光を任意の方向へ屈折させるのに好適である。レンズ１０３の形状例を、図１（Ｃ）に示す。レンズ１０３は、中心軸１０３ｃを回転中心として３６０度回転させて得られる肉厚の対称形状を成し、外径ＤがΦ１０−２０（ｍｍ）であって、厚みＨは１０（ｍｍ）程度である。ＬＥＤ光源１０１ａの光がレンズ１０３から出射する曲面の中央はその周囲から窪んだ凹面に形成されている。つまり、レンズ天面の凹部１０３ｂは中央部（図２の位置０（ｍｍ）参照）における局所的な輝度を抑制する役目をもつ。また底面の周縁部からは、直径１ｍｍ、長さ２ｍｍ程度の円柱状のレンズ脚部１０３ａが、ＬＥＤ基板１０１に向かって少なくとも３本延設されている。レンズ脚部１０３ａは、レンズ１０３の中心軸１０３ｃがＬＥＤ光源１０１ａの発光分布の中心軸と一致するように、ＬＥＤ基板１０１に対して紫外線硬化接着剤などで固定される。
【００１５】
図２は、ＬＥＤ光源１０１ａ単体を配置した基準位置を０（ｍｍ）とし、ＬＥＤ光源１０１ａから光の進行方向に約５０（ｍｍ）程度離れた平面上における輝度分布例を示す。横軸はＬＥＤ光源１０１ａの光軸に直交する方向の位置（単位：ｍｍ）を示し、縦軸は相対輝度を示す。
図２の破線（Ａ）は、ＬＥＤ光源１０１ａにレンズ１０３を配置しない場合の輝度分布を示し、実線（Ｂ）はＬＥＤ光源１０１ａの直上にレンズ１０３を配置した場合の輝度分布を示す。図２から分かるように、ＬＥＤ光源１０１ａが配置された位置０（ｍｍ）の直上が最も輝度が高く、位置０（ｍｍ）から離れるにつれて輝度が次第に低下していく。
破線（Ａ）と実線（Ｂ）に示す相対輝度分布を比較すると、破線（Ａ）に示す分布では、ＬＥＤ光源１０１ａの直上である０（ｍｍ）での輝度を１とした場合、±１５０（ｍｍ）の位置での相対輝度は約０．１（約１０％）である。一方、実線（Ｂ）に示す分布では、ＬＥＤ光源１０１ａの直上である０（ｍｍ）での輝度が０．７７であり、±１５０（ｍｍ）の位置での輝度は約０．２０であり、中心部に対して相対的に約２６（％）の輝度を保っている。（Ｃ）斜線領域１は、破線（Ａ）の方が実線（Ｂ）よりも相対輝度の高い範囲を表し、（Ｄ）斜線領域２は、実線（Ｂ）の方が破線（Ａ）よりも相対輝度の高い範囲を表している。つまり、このことは、１つのＬＥＤ光源１０１ａからの光量は一定であることを考慮すると、レンズ１０３によって（Ｃ）斜線領域１に示す分布が（Ｄ）斜線領域２の分布となって、横軸方向（水平方向）に屈折拡散されたことを示している。
【００１６】
レンズ１０３のもつ光学作用について、図１（Ｂ）を参照して説明する。レンズ１０３は、表示エリア中央部のＬＥＤ光源１０１ａの光を、表示エリア周縁部に分配する働きをもつ。すなわち、ＬＥＤ光源１０１ａの光の一部Ｌｄは、レンズ１０３を透過して拡散板１０４に向けて出射する。また、他の光の一部Ｌｆはレンズ１０３の作用によって略水平方向へ拡散され、反射拡散シート１０２の底面部１０２ｂから延設された側壁部１０２ｃに向かって照射される。この光は、反射拡散シート１０２の側壁部１０２ｃや底面部１０２ｂで反射拡散を繰り返した後、拡散板１０４から面光源の光として出射する。他方、レンズ１０３が配置されていないＬＥＤ光源１０１ｂの光は、図２の破線（Ａ）の相対輝度分布で示される。その光の大部分はＬＥＤ光源１０１ｂの直上の拡散板１０４に向けて照射される。
【００１７】
図３は、本実施形態における輝度分布と相対輝度の測定例を示す。測定系としては、発光領域が約６５０（ｍｍ）×４００（ｍｍ）であり、ＬＥＤ数は５１２個、拡散距離は２８．５（ｍｍ）、レンズ直径ＤはΦ１５．５（ｍｍ）である。図３（Ａ）は、厚さ２（ｍｍ）の乳白拡散板を使用し、厚さ約０．２（ｍｍ）の反射拡散シートを通して面内輝度分布計で測定した面内輝度分布図である。図３（Ｂ）は、図３（Ａ）の破断線Ａ―Ａにおける相対輝度値を示すグラフであり、横軸に位置（単位：ｍｍ）を示し、縦軸に相対輝度を示す。また図３（Ｃ）は、厚さ２（ｍｍ）の乳白拡散板と、厚さ約０．２（ｍｍ）の反射拡散シートと、厚さ約０．３（ｍｍ）のプリズムシートをこの順に重ねて面内輝度分布計で測定した面内輝度分布図である。図３（Ｄ）は、図３（Ｃ）の破断線Ｃ―Ｃにおける相対輝度値を示し、横軸に位置（単位：ｍｍ）を示し、縦軸に相対輝度を示す。
【００１８】
図３（Ｂ）に示すように、表示エリア周縁部においては、レンズ１０３の作用によりＬＥＤ光源による光の一部が水平方向に拡散され、反射拡散シートの側壁部に照射されることにより、表示エリア周縁部の相対輝度が約３％上昇している。この結果は、従来例に係る図６（Ｂ）のグラフとの対比からも顕著な効果であることが分かる。
また、プリズムシートを積載した場合においても、図３（Ｄ）に示すように、表示エリア周縁部の相対輝度の低下を約５％に抑えられることが判明した。これは、従来例に係る図６（Ｄ）のグラフに示した相対輝度の低下率１５％に比べて顕著な効果である。従来例における周縁部の輝度低下原因について、図５を用いて説明する。図５（Ａ）は反射拡散シート７０３と拡散板７０４で形成される空間内にＬＥＤ光源７０２ａを配置した構成を示す。図５（Ｂ）は、図５（Ａ）の構成に加えて、拡散板７０４に拡散シート７０５とプリズムシート７０６を積層した例を示す。
【００１９】
図５（Ａ）において拡散板７０４上の点７０４ａにおける輝度分布７０４ｂは、広い角度範囲を持ち、略箱形状をした反射拡散シート７０３の側壁部に向かって照射される光の成分も多く、表示エリアの周縁部まで光源の光が拡散する。それに対し、図５（Ｂ）においてプリズムシート７０６上の発光点７０６ａにおける輝度分布７０６ｂは、狭い角度範囲となる。ＬＥＤ光源７０２ａの光は表示エリア正面方向に向かって導出されるので、反射拡散シート７０３の側壁部に照射される光の成分は少なくなり、表示エリア周縁部の輝度が低下する。表示面内の輝度を均一に保つため、表示エリア周縁部に実装されたＬＥＤの輝度値を、表示エリア中央部のＬＥＤに比べて高い値に制御することが行われる。ＬＥＤの輝度値は、主にパルス幅変調（Pulse Width Modulation）により、入力信号（ＤＣレベル）の大きさに応じてパルス幅のデューティー比（パルス周期における高値区間と低値区間の比）を変更することで制御される。その一例として、表示エリア中央部におけるＬＥＤへの入力信号の相対値を１．０とすると、表示エリア周縁部におけるＬＥＤへの入力信号は１．５程度まで上げる必要がある。つまり表示面内の輝度均一性を保つための条件にて、表示エリア中央部におけるＬＥＤには、表示エリア周縁部におけるＬＥＤに比べて（１．０／１．５）≒０．６７倍程度までしか入力できず、ＬＥＤの光を効率的に利用できない。
【００２０】
本実施形態では、表示エリア中央部を含む範囲のＬＥＤ光源１０１ａに対し、屈折作用をもつレンズ１０３を配置することで前記の問題を解決できる。すなわち、レンズ１０３の作用により、ＬＥＤ光源１０１ａの光の一部が拡散され、表示エリア周縁部に配分されるので、面内輝度の均一化を図ることができる。
なお、本実施形態では光源装置の表示装置への適用において、ＬＥＤ光源１０１ａを格子状に配列した例を示したが、このような配置に限定されることはない。例えば、ＬＥＤ光源１０１ａ同士を直線で結んだ形状が正三角形の繰り返し配置になる６０°千鳥格子状配置や、ＬＥＤ光源１０１ａ同士を直線で結んだ形状が直角二等辺三角形の繰り返し配置になる４５°千鳥格子状配置であっても構わない。また、レンズ１０３については凹部１０３ｂを有さない曲面状であってもよく、複数のレンズ群をまとめて１つの光学部材として形成してもよい。
【００２１】
［第２実施形態］
次に、図４を用いて本発明の第２実施形態を説明する。本実施形態では第１領域において複数種のレンズを使用した構成を例示する。以下、第１実施形態の場合と同様の構成要素については既に使用した符号を用いることにより、それらの詳細な説明を省略し、主に相違点を説明する。
図４（Ａ）は本実施形態に係る直下型ＢＬ装置の平面図であり、ＬＥＤ光源１０１ａの配置を示すために図４（Ｂ）の拡散板１０４を取り除いた状態を示す。図４（Ｂ）は、図４（Ａ）の破断線Ａ―Ａにおける断面図である。
図４（Ａ）に示すＬＥＤ光源３０１は、縦８行×横１２列の格子状に配列されている。それらのうち、画像表示エリアの中央部から周縁部にかけて、屈折率または屈折度が異なるレンズ３０２、３０３、３０４がそれぞれ配置されている。各レンズの屈折率は中央部に位置するものほど高く、周縁部に近いものほど低い。つまり、各レンズの屈折率をｎ（３０２）、ｎ（３０３）、ｎ（３０４）とすると、「ｎ（３０２）＞ｎ（３０３）＞ｎ（３０４）」の関係がある。詳細には、中央部にレンズ３０２が縦２行×横６の列合計１２個、それらの周囲を取り囲むようにしてレンズ３０３が合計２０個、さらにそれらを取り囲むようにレンズ３０４が合計２８個配置されている。反射拡散シート１０２の側壁部１０２ｃに近い周縁部の第２領域にあるＬＥＤ光源にはレンズが設けられていない。
図４（Ｂ）には、ＬＥＤ光源３０１ａ、３０１ｂ、３０１ｃと、レンズ３０３、３０４を示しており、ＬＥＤ光源３０１ａに配置したレンズ３０３の形状は、第１実施形態にて説明したレンズ１０３の形状と同様に出射面側に凹部を有する。ＬＥＤ光源３０１ｂに配置したレンズ３０４の形状は、凹部のないドーム状である。周縁寄りに位置するＬＥＤ光源３０１ｃについてはレンズが配置されていない。なお、図４（Ｂ）ではレンズ３０２を省略しているが、その形状は任意であり、仕様に応じた配光分布が得られるように設計される。
【００２２】
以上の配置のもとで、図４（Ｂ）に示すようにＬＥＤ光源３０１ａの光の一部Ｌｆはレンズ３０３で屈折し、反射拡散シート１０２の側壁部１０２ｃに向けて拡散照射され、拡散板１０４の周縁部に導光される。またＬＥＤ光源３０１ｂの光の一部Ｌｇはレンズ３０４で屈折し、拡散板１０４の周縁部に導光される。ＬＥＤ光源３０１ｃの光の大部分は拡散板１０４に直接導光され、これらの光が拡散板１０４から面光源の光として出射する。
第２実施形態によれば、表示エリアの中央部から周縁部にかけてレンズの屈折率または屈折度を変更することで面内輝度の均一化を図ることができる。
なお、前記実施形態に示した光屈折手段としては、発光素子に対して別体のレンズを設置する例を挙げた。しかし、このような形態に限定されることなく、ＬＥＤ光源とレンズとを一体化させた構成でもよい。例えば、図４（Ｃ）は、基板３０５に実装されたＬＥＤ素子３０６を、エポキシ樹脂などで形成した封入部３０７に封じ込め、これに一体化して形成したドーム状のレンズ部３０８を光屈折手段として用いる構成を示す。電極部３０９への給電によってＬＥＤ素子３０６が発する光の一部は封入部３０７を介してレンズ部３０８で屈折して外部に出射する。また複数のＬＥＤ素子とそれらの封入部およびレンズ部を一体化した構成でもよい。
【符号の説明】
【００２３】
１０１ａ，１０１ｂ  ＬＥＤ光源
１０２    反射拡散シート
１０２ａ  貫通穴部
１０２ｂ  底面部
１０２ｃ  側壁部
１０３    レンズ
１０３ｂ  凹部
１０４    拡散板
３０１ａ，３０１ｂ，３０１ｃ  ＬＥＤ光源
３０２，３０３，３０４  レンズ
３０６      ＬＥＤ素子
３０７      封入部
３０８      レンズ部
【図１】
2013157258.tif 000003
【図２】
2013157258.tif 000004
【図４】
2013157258.tif 000005
【図５】
2013157258.tif 000006
【図７】
2013157258.tif 000007
【図３】
2013157258.tif 000008
【図６】
2013157258.tif 000009